(57)【要約】      （修正有）【課題】媒体に記録される画像の品位の低下を抑制しつつ、ミストの悪影響を抑制する記録装置を提供する。【解決手段】記録装置は、支持ステージ３と、キャリッジ２０と、キャリッジ２０の第１端部２１に固定される上流側ファン５０と、キャリッジ２０の第２端部２２に固定される下流側ファン６０と、キャリッジ２０の支持面２３に固定される記録ヘッド８とを有する。記録ヘッド８が、Ｘ（＋）方向に移動しながらインクを吐出する場合、上流側ファン５０は、気体をＺ（＋）方向に送風し、気体を支持ステージ３側から吸引し、下流側ファン６０は、気体をＺ（−）方向に送風し、気体を支持ステージ３側に供給する。記録ヘッド８が、Ｘ（−）方向に移動しながらインクを吐出する場合、上流側ファン５０は、気体をＺ（−）方向に送風し、気体を支持ステージ３側に供給し、下流側ファン６０は、気体をＺ（＋）方向に送風し、気体を支持ステージ３側から吸引する。【選択図】図４
2019093689.tif 000002
【特許請求の範囲】
【請求項１】
媒体を支持する媒体支持部と、
第１方向及び前記第１方向と反対方向である第２方向に移動可能であり、前記媒体支持部に対して前記第１方向及び前記第２方向に交差するキャリッジと、
前記キャリッジの前記第１方向の上流側の第１端部に固定される上流側ファンと、
前記キャリッジの前記第１方向の下流側の第２端部に固定される下流側ファンと、
前記上流側ファンと前記下流側ファンとの間に位置し、前記キャリッジの前記媒体支持部に対向する支持面に固定され、前記媒体にインクを吐出する記録ヘッドと、
を有し、
前記記録ヘッドが、前記第１方向に移動しながら前記インクを吐出する場合、
前記上流側ファンは、気体を第３方向に送風し、前記気体を前記媒体支持部側から吸引し、
前記下流側ファンは、前記気体を前記第３方向と反対方向である第４方向に送風し、前記気体を前記媒体支持部側に供給し、
前記記録ヘッドが、前記第２方向に移動しながら前記インクを吐出する場合、
前記上流側ファンは、前記気体を前記第４方向に送風し、前記気体を前記媒体支持部側に供給し、
前記下流側ファンは、前記気体を前記第３方向に送風し、前記気体を前記媒体支持部側から吸引することを特徴とする記録装置。
【請求項２】
前記上流側ファン及び前記下流側ファンは、前記第３方向または前記第４方向に搖動可能な第１フィルターを、前記第４方向側に有し、
前記上流側ファン及び前記下流側ファンが前記気体を前記第３方向に送風し、前記気体を前記媒体支持部側から吸引する場合、前記第１フィルターは、前記気体が濾過され前記気体に含まれる前記インクのミストが取り除かれるように、第３方向に搖動し、
前記上流側ファン及び前記下流側ファンが前記気体を前記第４方向に送風し、前記気体を前記媒体支持部側に供給する場合、前記第１フィルターは、前記気体が流動しやすくなるように、前記第４方向に搖動することを特徴とする請求項１に記載の記録装置。
【請求項３】
前記上流側ファンは、前記気体を前記第３方向に送風する第１上流側ファンと、前記気体を前記第４方向に送風する第２上流側ファンとを有し、
前記下流側ファンは、前記気体を前記第３方向に送風する第１下流側ファンと、前記気体を前記第４方向に送風する第２下流側ファンとを有し、
前記記録ヘッドが、前記第１方向に移動しながら前記インクを吐出する場合、前記第１上流側ファンは前記気体を前記第３方向に送風して前記気体を前記媒体支持部側から吸引し、前記第２下流側ファンは前記気体を前記第４方向に送風して前記気体を前記媒体支持部側に供給し、
前記記録ヘッドが、前記第２方向に移動しながら前記インクを吐出する場合、前記第２上流側ファンは前記気体を前記第４方向に送風して前記気体を前記媒体支持部側に供給し、前記第１下流側ファンは前記気体を前記第３方向に送風して前記気体を前記媒体支持部側から吸引することを特徴とする請求項１に記載の記録装置。
【請求項４】
前記第１上流側ファンは、前記気体を前記媒体支持部側から吸い込む上流側吸い込み口を、前記第４方向側に有し、
前記第２上流側ファンは、前記気体を前記媒体支持部側に供給する上流側供給口を、前記第４方向側に有し、
前記第１下流側ファンは、前記気体を前記媒体支持部側から吸い込む下流側吸い込み口を、前記第４方向側に有し、
前記第２下流側ファンは、前記気体を前記媒体支持部側に供給する下流側供給口を、前記第４方向側に有し、
前記上流側吸い込み口は、前記上流側供給口と比べて前記キャリッジに近い側に配置され、
前記下流側吸い込み口は、前記下流側供給口と比べて前記キャリッジに近い側に配置されることを特徴とする請求項３に記載の記録装置。
【請求項５】
前記上流側吸い込み口が前記気体を前記媒体支持部側から吸い込み、前記下流側供給口が前記気体を前記媒体支持部側に供給する場合、前記上流側供給口は前記気体を前記媒体支持部側に供給し、
前記下流側吸い込み口が前記気体を前記媒体支持部側から吸い込み、前記上流側供給口が前記気体を前記媒体支持部側に供給する場合、前記下流側供給口は前記気体を前記媒体支持部側に供給することを特徴とする請求項４に記載の記録装置。
【請求項６】
前記上流側吸い込み口及び前記下流側吸い込み口には、第２フィルターが取付けられ、
前記上流側吸い込み口及び前記下流側吸い込み口から前記気体を前記媒体支持部側から吸い込む場合、前記第２フィルターは、前記気体を濾過し、前記気体に含まれる前記インクのミストを取り除くことを特徴とする請求項４または５に記載の記録装置。
【請求項７】
前記支持面は、前記記録ヘッドから前記第１端部に向かうに従って前記媒体支持部から離れるように傾斜した第１傾斜部と、前記記録ヘッドから前記第２端部に向かうに従って前記媒体支持部から離れるように傾斜した第２傾斜部とを有することを特徴とする請求項１乃至６のいずれか１項に記載の記録装置。
【請求項８】
前記支持面は、前記記録ヘッドと前記第１傾斜部との間、及び前記記録ヘッドと前記第２傾斜部との間に、前記媒体支持部と平行な面を有することを特徴とする請求項７に記載の記録装置。
【請求項９】
前記上流側ファンに対して前記第２方向側、及び前記下流側ファンに対して前記第１方向側には、前記インクに光を照射する照射装置が設けられていることを特徴とする請求項１乃至８のいずれか１項に記載の記録装置。
【発明の詳細な説明】
【技術分野】
【０００１】
本発明は記録装置に関する。
【背景技術】
【０００２】
記録ヘッドからインクを吐出して媒体に画像を記録する記録装置では、記録ヘッドから吐出されたインクの一部が霧化してミストとなり、当該ミストが気中を浮遊し、記録装置の構成要素や画像が記録された媒体を汚染するおそれがあった。このため、特許文献１では、記録ヘッド（インクジェットヘッド）と媒体との間に、ミストを吸い込むための吸入口と、吸入口に向けて空気流を発生させる排出口とを設け、記録ヘッドから吐出されるインクの一部が霧化したミストを、空気流によって吸入口に誘導し、吸入口から回収するインクミスト除去装置が提案されている。
【先行技術文献】
【特許文献】
【０００３】
【特許文献１】特開昭６０−１８４８５１号公報
【発明の概要】
【発明が解決しようとする課題】
【０００４】
しかしながら、記録ヘッドと媒体との間にインクミスト除去装置を設けると、記録ヘッドと媒体との間の距離、すなわち、記録ヘッドから吐出されるインクの飛翔距離が長くなるので、媒体の目標位置にインクを着弾させることが難しくなり、媒体に記録される画像の品位が低下するおそれがあった。さらに、記録ヘッドと媒体との間にインクミスト除去装置を設けるための新たな空間が必要になるので、媒体に画像を記録する部分の省スペース化が難しくなるという課題もあった。
【課題を解決するための手段】
【０００５】
本発明は、上述の課題の少なくとも一部を解決するためになされたものであり、以下の形態または適用例として実現することが可能である。
【０００６】
［適用例１］本適用例に係る記録装置は、媒体を支持する媒体支持部と、第１方向及び前記第１方向と反対方向である第２方向に移動可能であり、前記媒体支持部に対して前記第１方向及び前記第２方向に交差するキャリッジと、前記キャリッジの前記第１方向の上流側の第１端部に固定される上流側ファンと、前記キャリッジの前記第１方向の下流側の第２端部に固定される下流側ファンと、前記上流側ファンと前記下流側ファンとの間に位置し、前記キャリッジの前記媒体支持部に対向する支持面に固定され、前記媒体にインクを吐出する記録ヘッドと、を有し、前記記録ヘッドが、前記第１方向に移動しながら前記インクを吐出する場合、前記上流側ファンは、気体を第３方向に送風し、前記気体を前記媒体支持部側から吸引し、前記下流側ファンは、前記気体を前記第３方向と反対方向である第４方向に送風し、前記気体を前記媒体支持部側に供給し、前記記録ヘッドが、前記第２方向に移動しながら前記インクを吐出する場合、前記上流側ファンは、前記気体を前記第４方向に送風し、前記気体を前記媒体支持部側に供給し、前記下流側ファンは、前記気体を前記第３方向に送風し、前記気体を前記媒体支持部側から吸引することを特徴とする。
【０００７】
記録ヘッドに対して第１方向の上流側に上流側ファンが設けられ、記録ヘッドに対して第１方向の下流側に下流側ファンが設けられている。換言すれば、記録ヘッドに対して第２方向の下流側に上流側ファンが設けられ、記録ヘッドに対して第２方向の上流側に下流側ファンが設けられている。さらに、記録ヘッドと上流側ファンと下流側ファンとは、キャリッジと一緒に第１方向及び第２方向に移動可能になっている。
記録ヘッドが、第１方向に移動しながらインクを吐出する場合、記録ヘッドに対して第１方向の上流側に位置する上流側ファンは、気体を媒体支持部側から吸引し、記録ヘッドに対して第１方向の下流側に位置する下流側ファンは、気体を媒体支持部側に供給する。
記録ヘッドが、第２方向に移動しながらインクを吐出する場合、記録ヘッドに対して第２方向の上流側に位置する下流側ファンは、気体を媒体支持部側から吸引し、記録ヘッドに対して第２方向の下流側に位置する上流側ファンは、気体を媒体支持部側に供給する。
すなわち、記録ヘッドの移動方向の下流側において媒体支持部側に気体が供給され、記録ヘッドの移動方向の上流側において媒体支持部側から気体が吸引される状態で、記録ヘッドは移動しながらインクを媒体（媒体支持部の側）に吐出する。
【０００８】
記録ヘッドが移動方向に移動すると、記録ヘッドと媒体支持部との間の気体は、記録ヘッドに対して、記録ヘッドの移動方向と逆方向（以降、単に逆方向と称す）に相対移動する。さらに、記録ヘッドの移動方向の下流側において媒体支持部側に気体が供給された状態で、記録ヘッドが移動方向に移動すると、記録ヘッドと媒体支持部との間の気体に加えて、媒体支持部に供給される気体も、記録ヘッドに対して逆方向に相対移動する。このため、記録ヘッドの移動方向の下流側において媒体支持部側に気体が供給されると、媒体支持部側に気体が供給されない場合と比べて、記録ヘッドに対して逆方向に相対移動する気体の流速が速くなり、記録ヘッドに対して逆方向に気体が流動しやすくなる。
記録ヘッドに対して逆方向に気体が流動しやすくなると、記録ヘッドから吐出されるインクが霧化したミストは、気体と一緒に記録ヘッドに対して逆方向に流動しやすくなる。さらに、記録ヘッドに対して逆方向（記録ヘッドの移動方向の上流側）において媒体支持部側から気体が吸引されるので、ミストは気体と一緒に吸引され、記録装置の外側に排出される。
【０００９】
このように、本適用例では、媒体支持部側に気体を供給するファンを、記録ヘッドの移動方向の下流側に設けることによって、記録ヘッドから吐出されるインクが霧化したミストを記録ヘッドに対して逆方向に流動しやすくする。さらに、媒体支持部側から気体が吸引するファンを、記録ヘッドの移動方向の上流側に設けることによって、記録ヘッドに対して逆方向に流動するミストを、記録装置の外側に排出する。
ミストは、記録ヘッドに対して逆方向に流動し、記録装置の外側に排出されるので、記録装置の構成要素や画像が記録された媒体がミストによって汚染されにくくなり、ミストの悪影響が抑制される。
【００１０】
さらに、ミストを記録装置の外側に排出するための構成要素（上流側ファン、下流側ファン）は、記録ヘッドと一緒にキャリッジに固定され、記録ヘッドと媒体支持部（媒体）との間に配置されないので、ミストを記録装置の外側に排出するための構成要素を設けても、記録ヘッドと媒体支持部（媒体）との間の距離（インクの飛翔距離）が長くならず、記録ヘッドと媒体支持部との間の距離が長くなる場合と比べて、記録ヘッドから吐出されるインクが媒体の目標位置に着弾しやすくなり、媒体に記録される画像の品位を高めることができる。
さらに、媒体に記録をなす部分は、ミストを記録装置の外側に排出するための構成要素（上流側ファン、下流側ファン）と記録ヘッドとキャリッジとが一体化されているので、ミストを記録装置の外側に排出するための構成要素と記録ヘッドとキャリッジとが一体化されていない場合と比べて、媒体に記録をなす部分をコンパクト化することができる。
【００１１】
［適用例２］上記適用例に係る記録装置では、前記上流側ファン及び前記下流側ファンは、前記第３方向または前記第４方向に搖動可能な第１フィルターを、前記第４方向側に有し、前記上流側ファン及び前記下流側ファンが前記気体を前記第３方向に送風し、前記気体を前記媒体支持部側から吸引する場合、前記第１フィルターは、前記気体が濾過され前記気体に含まれる前記インクのミストが取り除かれるように、第３方向に搖動し、前記上流側ファン及び前記下流側ファンが前記気体を前記第４方向に送風し、前記気体を前記媒体支持部側に供給する場合、前記第１フィルターは、前記気体が流動しやすくなるように、前記第４方向に搖動することが好ましい。
【００１２】
記録ヘッドの移動方向の下流側において、ミストを記録装置の外側に排出するための構成要素（上流側ファン、下流側ファン）が媒体支持部側に気体を供給する場合、気体が流動しやすくなるように第１フィルターが搖動するので、第１フィルターを設けても、媒体支持部側への気体の供給が阻害されにくい。
記録ヘッドの移動方向の上流側において、ミストを記録装置の外側に排出するための構成要素（上流側ファン、下流側ファン）が媒体支持部側から気体を吸引する場合、第１フィルターは気体に含まれるインクのミストを取り除くので、ミストを記録装置の外側に排出するための構成要素（上流側ファン、下流側ファン）は、ミストによって汚染されにくくなり、ミストによる不具合（例えば、故障）が生じにくい。
【００１３】
［適用例３］上記適用例に係る記録装置では、前記上流側ファンは、前記気体を前記第３方向に送風する第１上流側ファンと、前記気体を前記第４方向に送風する第２上流側ファンとを有し、前記下流側ファンは、前記気体を前記第３方向に送風する第１下流側ファンと、前記気体を前記第４方向に送風する第２下流側ファンとを有し、前記記録ヘッドが、前記第１方向に移動しながら前記インクを吐出する場合、前記第１上流側ファンは前記気体を前記第３方向に送風して前記気体を前記媒体支持部側から吸引し、前記第２下流側ファンは前記気体を前記第４方向に送風して前記気体を前記媒体支持部側に供給し、前記記録ヘッドが、前記第２方向に移動しながら前記インクを吐出する場合、前記第２上流側ファンは前記気体を前記第４方向に送風して前記気体を前記媒体支持部側に供給し、前記第１下流側ファンは前記気体を前記第３方向に送風して前記気体を前記媒体支持部側から吸引することが好ましい。
【００１４】
ミストを記録装置の外側に排出するための構成要素を、気体を一方向（第３方向、または第４方向）に送風するファンで構成すると、ミストを記録装置の外側に排出するための構成要素（上流側ファン、下流側ファン）を、気体を双方向に送風するファンで構成する場合と比べて、ファンの構造を簡素化することができる。
【００１５】
［適用例４］上記適用例に係る記録装置では、前記第１上流側ファンは、前記気体を前記媒体支持部側から吸い込む上流側吸い込み口を、前記第４方向側に有し、前記第２上流側ファンは、前記気体を前記媒体支持部側に供給する上流側供給口を、前記第４方向側に有し、前記第１下流側ファンは、前記気体を前記媒体支持部側から吸い込む下流側吸い込み口を、前記第４方向側に有し、前記第２下流側ファンは、前記気体を前記媒体支持部側に供給する下流側供給口を、前記第４方向側に有し、前記上流側吸い込み口は、前記上流側供給口と比べて前記キャリッジに近い側に配置され、前記下流側吸い込み口は、前記下流側供給口と比べて前記キャリッジに近い側に配置されることが好ましい。
【００１６】
ミストを媒体支持部から吸引する吸い込み口（上流側吸い込み口、下流側吸い込み口）を、気体を媒体支持部に供給する供給口（上流側供給口、下流側供給口）と比べて、キャリッジ（記録ヘッド）に近い側に配置すると、キャリッジ（記録ヘッド）から遠い側に配置する場合と比べて、記録ヘッドから吐出されるインクが霧化したミストは、吸い込み口によって吸引されやすくなり、記録装置の外側に排出されやすくなる。
【００１７】
［適用例５］上記適用例に係る記録装置では、前記上流側吸い込み口が前記気体を前記媒体支持部側から吸い込み、前記下流側供給口が前記気体を前記媒体支持部側に供給する場合、前記上流側供給口は前記気体を前記媒体支持部側に供給し、前記下流側吸い込み口が前記気体を前記媒体支持部側から吸い込み、前記上流側供給口が前記気体を前記媒体支持部側に供給する場合、前記下流側供給口は前記気体を前記媒体支持部側に供給することが好ましい。
【００１８】
上流側吸い込み口が気体を媒体支持部側から吸い込み、下流側供給口が気体を媒体支持部側に供給する場合、上流側供給口が気体を媒体支持部側に供給すると、上流側供給口から供給される気体が一種のエアーカーテンとなり、気体が上流側吸い込み口から吸い込まれやすくなり、記録ヘッドから吐出されるインクが霧化したミストは、気体と一緒に上流側吸い込み口から吸い込まれやすくなる。
下流側吸い込み口が気体を媒体支持部側から吸い込み、上流側供給口が気体を媒体支持部側に供給する場合、下流側供給口が気体を媒体支持部側に供給すると、下流側供給口から供給される気体が一種のエアーカーテンとなり、気体が下流側吸い込み口から吸い込まれやすくなり、記録ヘッドから吐出されるインクが霧化したミストは、気体と一緒に下流側吸い込み口から吸い込まれやすくなる。
【００１９】
［適用例６］上記適用例に係る記録装置では、前記上流側吸い込み口及び前記下流側吸い込み口には、第２フィルターが取付けられ、前記上流側吸い込み口及び前記下流側吸い込み口から前記気体を前記媒体支持部側から吸い込む場合、前記第２フィルターは、前記気体を濾過し、前記気体に含まれる前記インクのミストを取り除くことが好ましい。
【００２０】
上流側吸い込み口及び下流側吸い込み口から吸引される気体は、第２フィルターによって、濾過され、気体に含まれるインクのミストが取り除かれるので、ミストを記録装置の外側に排出するための構成要素（上流側ファン、下流側ファン）は、ミストによって汚染されにくくなり、ミストによる不具合（例えば、故障）が生じにくくなる。
【００２１】
［適用例７］上記適用例に係る記録装置では、前記支持面は、前記記録ヘッドから前記第１端部に向かうに従って前記媒体支持部から離れるように傾斜した第１傾斜部と、前記記録ヘッドから前記第２端部に向かうに従って前記媒体支持部から離れるように傾斜した第２傾斜部とを有することが好ましい。
【００２２】
気体は、粘性を有するので、第１傾斜部や第２傾斜部に沿って流動しようとする。第１傾斜部及び第２傾斜部が、記録ヘッドから遠い側で媒体支持部から離れ、記録ヘッドに近い側で媒体支持部に近付くように傾斜すると、記録ヘッドの移動方向の下流側において媒体支持部に供給される気体は、第１傾斜部または第２傾斜部によって記録ヘッドの側に誘導され、記録ヘッドに対して逆方向に気体が流動しやすくなる。
【００２３】
［適用例８］上記適用例に係る記録装置では、前記支持面は、前記記録ヘッドと前記第１傾斜部との間、及び前記記録ヘッドと前記第２傾斜部との間に、前記媒体支持部と平行な面を有することが好ましい。
【００２４】
記録ヘッドと第１傾斜部との間、及び記録ヘッドと第２傾斜部との間に、媒体支持部と平行な面を設けると、記録ヘッドが移動方向に移動する場合、記録ヘッドに対して逆方向に流動する気体は、平行な面に沿って流れるようになり、記録ヘッドと媒体支持部との間における気体の流れを、平行な面に沿って流れる層流にすることができる。記録ヘッドと媒体支持部との間における気体の流れを層流にすると、記録ヘッドと媒体支持部との間における気体の流れが乱流である場合と比べて、記録ヘッドから吐出されるインクが媒体の目標位置に着弾しやすくなり、媒体に記録される画像の品位を高めることができる。
【００２５】
［適用例９］上記適用例に係る記録装置では、前記上流側ファンに対して前記第２方向側、及び前記下流側ファンに対して前記第１方向側には、前記インクに光を照射する照射装置が設けられていることが好ましい。
【００２６】
照射装置を設けることによって、記録ヘッドから吐出されるインクとして光硬化性のインクを使用することができる。さらに、媒体に記録をなす部分は、照射装置とミストを記録装置の外側に排出するための構成要素（上流側ファン、下流側ファン）と記録ヘッドとキャリッジとが一体化されているので、これらが一体化されていない場合と比べて、媒体に記録をなす部分をコンパクト化することができる。
【図面の簡単な説明】
【００２７】
【図１】実施形態に係る記録装置の構成を示す概略図。
【図２】図１におけるＮ−Ｎ方向に沿った支持ステージの断面を示す概略図。
【図３】記録部の内部の状態を示す概略図。
【図４】偶数の主走査における記録ユニットの状態を示す模式図。
【図５】奇数の主走査における記録ユニットの状態を示す模式図。
【図６】実施形態２に係る記録装置に搭載される記録ユニットの状態を示す模式図。
【図７】実施形態２に係る記録装置に搭載される記録ユニットの状態を示す模式図。
【図８】実施形態３に係る記録装置に搭載される記録ユニットの状態を示す模式図。
【図９】実施形態３に係る記録装置に搭載される記録ユニットの状態を示す模式図。
【発明を実施するための形態】
【００２８】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００２９】
（実施形態１）
「記録装置の概要」
実施形態１に係る記録装置１は、支持ステージ３に支持された媒体Ｍに対し液体吐出ヘッド（記録ヘッド８）を移動させて媒体Ｍに対して記録を行う、いわゆるフラットベッドタイプの記録装置である。記録装置１は、光硬化性のインク（以降、インクと略す）をインクジェット方式で吐出することにより、媒体Ｍに対して所望の画像を記録する。媒体Ｍとしては、例えば、薄紙、プラスチックシート、厚紙、木材、タイル、プラスチックボード、スチレンボード、段ボール、成形部材、石等で構成される媒体を想定している。
【００３０】
図１は、本実施形態に係る記録装置の構成を示す概略図である。図２は、図１におけるＮ−Ｎ方向に沿った支持ステージの断面を示す概略図である。図３は、記録部の内部の状態を示す概略図である。
最初に、図１乃至図３を参照し、本実施形態に係る記録装置１の概要を説明する。
図１に示すように、記録装置１は、記録部５と、「媒体支持部」の一例である支持ステージ３と、操作パネル３５と、開閉扉３５１と、脚部３３と、インクを収容する収容体（インクカートリッジ）３０とを備える。
【００３１】
支持ステージ３は、一方向に長い略矩形状の媒体支持面３１を有する。支持ステージ３の媒体支持面３１には、複数の吸引口（図示省略）が設けられており、媒体Ｍを媒体支持面３１に吸着して保持することができる。
以降の説明では、媒体支持面３１の長手方向をＹ方向とし、媒体支持面３１の短手方向をＸ方向とし、Ｘ方向及びＹ方向に交差する方向をＺ方向とする。Ｘ方向及びＹ方向は水平面に沿って配置され、Ｚ方向は鉛直方向に沿って配置される。また、Ｘ方向におけるインクカートリッジ３０側をＸ（＋）方向とし、その反対側をＸ（−）方向とする。Ｙ方向における操作パネル３５側をＹ（＋）方向とし、その反対側をＹ（−）方向とする。Ｚ方向における重力方向側をＺ（−）方向とし、その反対側をＺ（＋）方向とする。
なお、Ｘ（＋）方向は「第１方向」の一例であり、Ｘ（−）方向は「第２方向」の一例であり、Ｚ（＋）方向は「第３方向」の一例であり、Ｚ（−）方向は「第４方向」の一例である。
【００３２】
脚部３３は、支持ステージ３の４隅を支持する部分である。脚部３３の下端には、キャスターを設けてもよい。キャスターを設けると、記録装置１を容易に移動させることができる。
操作パネル３５は、作業者による指示を受け付ける部分である。
開閉扉３５１は、作業者が記録部５へ手作業によるメンテナンスを行うために設けられている部分である。開閉扉３５１の真上（Ｚ（＋）方向側）に記録部５を移動させることにより、作業者は、開閉扉３５１を開けて、記録部５の内部を手作業によりメンテナンスを行うことができる。
【００３３】
図２に示すように、支持ステージ３は、記録部５（キャリッジ２０（図３参照））を副走査方向（Ｙ（＋）方向）へ移動可能とする副走査移動部４を備えている。副走査移動部４は、主走査方向（Ｘ（＋）方向、Ｘ（−）方向）における支持ステージ３の両側に設けられた一対のガイド機構４１と、記録部５とガイド機構４１とを連結する連結フレーム４２と、ガイド機構４１に沿って記録部５を副走査方向に駆動させる副走査移動機構４３とを備えている。
【００３４】
ガイド機構４１は、ＬＭガイド（登録商標）により構成されている。ガイド機構４１は、副走査方向に延設して支持ステージ３の下側（Ｚ（−）方向側）に固定されたガイドレール４１ａと、ガイドレール４１ａに対して副走査方向にスライドするスライダー４１ｂとを備える。スライダー４１ｂは、連結フレーム４２を介して記録部５に取り付けられている。
副走査移動機構４３は、副走査方向に延設して支持ステージ３に固定されたネジ軸４４と、ネジ軸４４に螺合するナット部材４６と、ナット部材４６を回転させる副走査モーター４７と、ナット部材４６が回転自在となるように連結フレーム４２に取り付けられている支持部材４５とを備える。
副走査移動部４は、副走査モーター４７によってナット部材４６を回転させることにより、連結フレーム４２とともに記録部５を副走査方向に移動させることができる。
【００３５】
図３に示すように、記録部５は、記録ユニット６と、記録ユニット６を主走査方向（Ｘ（＋）方向、Ｘ（−）方向）に移動させる主走査移動部７と、記録ユニット６と主走査移動部７とを収容するハウジング部材１２（図１参照）とを備える。なお、図３には、ハウジング部材１２が取り除かれた状態が図示されている。
【００３６】
記録ユニット６は、Ｘ（＋）方向に沿って順に配置される照射装置９と、上流側ファン５０と、キャリッジ２０及び記録ヘッド８と、下流側ファン６０と、照射装置９とを有する。
キャリッジ２０は、上流側ファン５０、下流側ファン６０、記録ヘッド８、及び照射装置９を支持する支持部材である。キャリッジ２０は、支持ステージ３に対して第１方向（Ｘ（＋）方向）及び第２方向（Ｘ（−）方向）に交差する第３方向（Ｚ（＋）方向）に配置され、Ｘ（−）方向側に配置される第１端部２１と、Ｘ（＋）方向側に配置される第２端部２２と、支持ステージ３に対向する支持面２３とを有する。
キャリッジ２０は、主走査移動部７によって、支持ステージ３に対して主走査方向（Ｘ（＋）方向、Ｘ（−）方向）に移動可能である。換言すれば、キャリッジ２０は、第１方向（Ｘ（＋）方向）及び第１方向と反対方向である第２方向（Ｘ（−）方向）に移動可能である。そして、上流側ファン５０と下流側ファン６０と記録ヘッド８と照射装置９とは、キャリッジ２０と一緒に主走査方向（Ｘ（＋）方向、Ｘ（−）方向）に移動可能である。
【００３７】
上流側ファン５０は、キャリッジ２０のＸ（−）方向側の第１端部２１に固定されている。換言すれば、上流側ファン５０は、キャリッジ２０の第１方向の上流側（Ｘ（−）方向側）の第１端部２１に固定されている。さらに換言すれば、上流側ファン５０は、キャリッジ２０の第２方向側（Ｘ（−）方向側）の第１端部２１に固定されている。
下流側ファン６０は、キャリッジ２０のＸ（＋）方向側の第２端部２２に固定されている。換言すれば、下流側ファン６０は、キャリッジ２０の第１方向の下流側（Ｘ（＋）方向側）の第２端部２２に固定されている。さらに換言すれば、下流側ファン６０は、キャリッジ２０の第１方向側（Ｘ（＋）方向側）の第２端部２２に固定されている。
上流側ファン５０及び下流側ファン６０は、Ｚ（＋）方向またはＺ（−）方向に送風可能な双方向の送風ファンである。
上流側ファン５０及び下流側ファン６０は、気体をＺ（＋）方向（第３方向）に送風し、支持ステージ３側から気体を吸引する。または、上流側ファン５０及び下流側ファン６０は、気体をＺ（−）方向（第４方向）に送風し、支持ステージ３側に気体を供給する。
【００３８】
記録ヘッド８は、上流側ファン５０と下流側ファン６０との間に位置し、キャリッジ２０の支持ステージ３に対向する支持面２３に固定されている。記録ヘッド８は、インクを吐出するノズル（図示省略）が形成されたノズル形成面８ａを、支持ステージ３に対向する側に有している。すなわち、記録ヘッド８は、キャリッジ２０に搭載され、媒体Ｍに対して光硬化性のインクを吐出する。
さらに、記録ヘッド８は、共通液室（図示省略）、圧力発生室（図示省略）、及び圧電素子（図示省略）などを有し、支持ステージ３に支持された媒体Ｍにインクを吐出する。圧力発生室及び圧電素子は、ノズル形成面８ａに形成されたノズルと一対一に対応する。圧電素子は、撓み振動モードの圧電アクチュエーター、または縦振動モードの圧電アクチュエーターである。インクカートリッジ３０と共通液室とを経て圧力発生室にインクが供給された状態で、圧電素子が圧力発生室の一部を形成する振動板を振動させ、圧力発生室に圧力変動を生じさせ、この圧力変動を利用することで、記録ヘッド８はノズルから媒体Ｍに対してインクを吐出することができる。
【００３９】
照射装置９は、上流側ファン５０に対してＸ（−）方向側（第２方向側）、及び下流側ファン６０に対してＸ（＋）方向側（第１方向側）に設けられている。照射装置９は、媒体Ｍに吐出されたインクに光（例えば、紫外線）を照射し、媒体Ｍに吐出されたインクを硬化させ、インクを媒体Ｍに定着させる。
【００４０】
主走査移動部７は、記録ユニット６を主走査方向（Ｘ方向）へ移動可能となるように支持する上下一対のガイド軸７１と、記録ユニット６をガイド軸７１に沿って移動可能させる主走査移動機構７３とを備える。
主走査移動機構７３は、ガイド軸７１に沿って主走査方向（Ｘ方向）へ延設されたタイミングベルト７４と、タイミングベルト７４を掛け渡すための主動プーリー７５および従動プーリー７６と、主動プーリー７５を駆動する主走査モーター７７とを備える。主走査移動部７は、主走査モーター７７によって主動プーリー７５を駆動させることにより、タイミングベルト７４に連結された記録ユニット６を主走査方向（Ｘ方向）に移動させることができる。
【００４１】
かかる構成によって、記録装置１では、記録ヘッド８が、主走査方向（Ｘ（＋）方向、Ｘ（−）方向）への移動（主走査）と、副走査方向（Ｙ（＋）方向）への移動（副走査）とを繰り返し、媒体Ｍに画像を記録する。
詳しくは、ノズルから媒体Ｍに対してインクを吐出しながら記録ヘッド８をＸ（−）方向へ１回移動させる１回目の主走査を行い、１回目の主走査の記録を行う。次に、記録ヘッド８をＹ（＋）方向に移動させる副走査を行い、記録ヘッド８を次の主走査開始位置に配置する。続いて、その位置から、ノズルから媒体Ｍに対してインクを吐出しながら記録ヘッド８をＸ（＋）方向へ１回移動させる２回目の主走査を行い、２回目の主走査の記録を行う。続いて、記録ヘッド８をＹ（＋）方向に移動させる副走査を行い、記録ヘッド８を次の主走査開始位置に配置する。以降、同様に主走査と副走査とを繰り返し、ｎ回目の主走査の記録を行う。
以降の説明では、ｎが奇数であるｎ回目の主走査を「奇数の主走査」と称し、ｎが偶数であるｎ回目の主走査を「偶数の主走査」と称す。また、ｎが奇数であるｎ回目の主走査と、ｎが偶数であるｎ回目の主走査とを、単に「主走査」と称す。
すなわち、奇数の主走査とは、ノズルから媒体Ｍに対してインクを吐出しながら記録ヘッド８をＸ（−）方向へ１回移動させることであり、偶数の主走査とは、ノズルから媒体Ｍに対してインクを吐出しながら記録ヘッド８をＸ（＋）方向へ１回移動させることである。
なお、記録ヘッド８がＸ（＋）方向に移動しながらインクを吐出する偶数の主走査は、「記録ヘッドが第１方向に移動しながらインクを吐出する場合」の一例である。記録ヘッド８がＸ（−）方向に移動しながらインクを吐出する奇数の主走査は、「記録ヘッドが第２方向に移動しながらインクを吐出する場合」の一例である。
【００４２】
「記録ユニット」
図４は、図３のＱ─Ｑに沿った断面図であり、偶数の主走査における記録ユニットの状態を示す模式図である。図５は、図３のＱ─Ｑに沿った断面図であり、奇数の主走査における記録ユニットの状態を示す模式図である。なお、図４及び図５では、支持ステージ３及び媒体Ｍが二点鎖線で図示されている。
偶数の主走査及び奇数の主走査では、記録ヘッド８が支持ステージ３に対してＸ（＋）方向またはＸ（−）方向に移動する。この場合、支持ステージ３が、記録ヘッド８に対してＸ（＋）方向またはＸ（−）方向に相対移動する。さらに、支持ステージ３と記録ヘッド８との間の気体（以降、記録ヘッド８の近くの気体と称す）は、支持ステージ３と同様に、記録ヘッド８に対してＸ（＋）方向またはＸ（−）方向に相対移動する。
例えば、偶数の主走査において、記録ヘッド８が支持ステージ３に対してＸ（＋）方向に移動する場合、記録ヘッド８の近くの気体は、記録ヘッド８に対してＸ（−）方向に流動する。奇数の主走査において、記録ヘッド８が支持ステージ３に対してＸ（−）方向に移動する場合、記録ヘッド８の近くの気体は、記録ヘッド８に対してＸ（＋）方向に流動する。
図４及び図５において、白抜きの矢印はキャリッジ２０（記録ヘッド８）の移動方向を示し、黒ベタの矢印は記録ヘッド８に対する気体の流動方向を示す。
次に、図４及び図５を参照し、主走査における記録ユニット６の状態を説明する。
【００４３】
図４及び図５に示すように、記録ユニット６には、Ｘ（＋）方向に沿って、照射装置９と、上流側ファン５０と、キャリッジ２０及び記録ヘッド８と、下流側ファン６０と、照射装置９とが順に配置されている。
上流側ファン５０は、支持ステージ３の側（Ｚ（−）方向側）に吸排気口５０ａを有している。さらに、吸排気口５０ａにはフィルター部１５が取り付けられている。下流側ファン６０は、支持ステージ３の側（Ｚ（−）方向側）に吸排気口６０ａを有している。さらに、吸排気口６０ａにはフィルター部１５が取り付けられている。
フィルター部１５は、回動軸１６と「第１フィルター」の一例であるフィルター１７とを有し、フィルター１７は回動軸１６を中心として、Ｚ（−）方向またはＺ（＋）方向に搖動（回動）可能である。
すなわち、上流側ファン５０及び下流側ファン６０は、Ｚ（＋）方向またはＺ（−）方向に搖動可能なフィルター１７を、Ｚ（−）方向側に有している。
【００４４】
キャリッジ２０の支持面２３は、記録ヘッド８から第１端部２１に向かうに従って支持ステージ３から離れるように傾斜した第１傾斜部２４を、第１端部２１の側に有している。さらに、キャリッジ２０の支持面２３は、記録ヘッド８と第１傾斜部２４との間に、支持ステージ３と平行な面２５を有している。
キャリッジ２０の支持面２３は、記録ヘッド８から第２端部２２に向かうに従って支持ステージ３から離れるように傾斜した第２傾斜部２６を、第２端部２２の側に有している。さらに、キャリッジ２０の支持面２３は、記録ヘッド８と第２傾斜部２６との間に、支持ステージ３と平行な面２７を有している。
換言すれば、支持面２３は、記録ヘッド８から第１端部２１に向かうに従って支持ステージ３から離れるように傾斜した第１傾斜部２４と、記録ヘッド８から第２端部２２に向かうに従って支持ステージ３から離れるように傾斜した第２傾斜部２６とを有する。さらに、支持面２３は、記録ヘッド８と第１傾斜部２４との間、及び記録ヘッド８と第２傾斜部２６との間に、支持ステージ３と平行な面２５，２７を有する。
【００４５】
図４に示すように、偶数の主走査によってＸ（＋）方向（図中の白抜きの矢印の方向）に移動しながら記録ヘッド８が媒体Ｍにインクを吐出する場合、上流側ファン５０は気体をＺ（＋）方向に送風し、支持ステージ３側から気体を吸引し、下流側ファン６０は気体をＺ（−）方向に送風し、支持ステージ３側に気体を供給する。換言すれば、記録ヘッド８の移動方向（Ｘ（＋）方向）の下流側において支持ステージ３側に気体が供給され、記録ヘッド８の移動方向（Ｘ（＋）方向）の上流側において支持ステージ３側から気体が吸引される状態で、記録ヘッド８は移動しながらインクを媒体Ｍに吐出する。
下流側ファン６０が気体をＺ（−）方向に送風し、支持ステージ３側に気体を供給する場合、吸排気口６０ａに取付けられたフィルター１７は、Ｚ（−）方向に流動する気体によって押圧され、図中に破線で示される位置から図中に実線で示される位置に移動し、吸排気口６０ａから離間する。すなわち、下流側ファン６０が気体を支持ステージ３側に供給する場合、吸排気口６０ａに取付けられたフィルター１７は、Ｚ（−）方向に搖動し、気体は、フィルター１７を通過せず、直接支持ステージ３側に供給され、支持ステージ３側への気体の供給が阻害されにくい。換言すれば、下流側ファン６０が気体をＺ（−）方向に送風し、支持ステージ３側に気体を供給する場合、吸排気口６０ａに取付けられたフィルター１７は、気体が流動しやすくなるように、Ｚ（−）方向に搖動する。
【００４６】
上流側ファン５０が気体をＺ（＋）方向に送風し、支持ステージ３側から気体を吸引する場合、吸排気口５０ａに取付けられたフィルター１７は、Ｚ（＋）方向に流動する気体によって押圧され、図中に破線で示される位置から図中に実線で示される位置に移動し、吸排気口５０ａを塞ぐ。すなわち、上流側ファン５０が気体を支持ステージ３側から吸引する場合、吸排気口５０ａに取付けられたフィルター１７は、Ｚ（＋）方向に搖動し吸排気口５０ａを塞ぎ、Ｚ（＋）方向に流動する気体はフィルター１７によって濾過され、気体に含まれるインクのミストがフィルター１７によって取り除かれる。その結果、上流側ファン５０はミストによって汚染されず、ミストによる不具合（例えば、故障）が生じにくい。換言すれば、上流側ファン５０が気体をＺ（＋）方向に送風し、支持ステージ３側から気体を吸引する場合、フィルター１７は、気体が濾過され気体に含まれるインクのミストが取り除かれるように、Ｚ（＋）方向に搖動する。
【００４７】
偶数の主走査では、下流側ファン６０から支持ステージ３側に供給される気体は、キャリッジ２０（記録ヘッド８）と支持ステージ３との間をＸ（−）方向に流動し、上流側ファン５０からＺ（＋）方向に排出される。
例えば、下流側ファン６０を設けず、キャリッジ２０（記録ヘッド８）をＸ（＋）方向に移動させることによっても、記録ヘッド８の近くの気体は、キャリッジ２０（記録ヘッド８）と支持ステージ３との間をＸ（−）方向に流動する。記録ヘッド８に対してＸ（＋）方向側に下流側ファン６０を設け、下流側ファン６０が気体を支持ステージ３側に供給するようにすると、記録ヘッド８の近くの気体に加えて、支持ステージ３側に供給される気体も、キャリッジ２０（記録ヘッド８）と支持ステージ３との間をＸ（−）方向に流動するので、下流側ファン６０を設けない場合と比べて、キャリッジ２０（記録ヘッド８）と支持ステージ３との間をＸ（−）方向に流動する気体の流速を速くし、ミストを含む気体を記録ヘッド８に対してＸ（−）方向に流動しやすくすることができる。
さらに、下流側ファン６０が気体を支持ステージ３側に供給する場合、吸排気口６０ａに取付けられたフィルター１７は、気体が流動しやすくなるようにＺ（−）方向に搖動するので、吸排気口６０ａにフィルター１７を取付けても、下流側ファン６０から支持ステージ３側に供給される気体の流れは阻害されにくい。
【００４８】
記録ヘッド８は、Ｘ（＋）方向に移動しながら媒体Ｍにインクを吐出する。記録ヘッド８から吐出されるインクの大部分は、媒体Ｍに着弾する。ところが、記録ヘッド８から吐出されるインクの一部は、霧化しミストとなり、支持ステージ３と記録ヘッド８との間を浮遊する。支持ステージ３と記録ヘッド８との間を浮遊するミストは、気体と一緒に、Ｘ（−）方向に流動する。すると、記録ヘッド８に対してＸ（−）方向側に配置される照射装置９や他の部材（図示省略）が、ミストによって汚染されるおそれがある。
仮に、照射装置９がミストによって汚染されると、照射装置から照射される光の強度が低下し、媒体Ｍに吐出されたインクが硬化しにくくなるおそれがある。仮に、他の部材がミストによって汚染されると、他の部材に不具合（例えば、故障）が生じるおそれがある。
【００４９】
記録ヘッド８の移動方向（Ｘ（＋）方向）の上流側（Ｘ（−）方向側）には、支持ステージ３側から気体を吸引する上流側ファン５０が設けられているので、支持ステージ３と記録ヘッド８との間を浮遊するミストは、気体と一緒に、記録ヘッド８に対してＸ（−）方向に流動し、上流側ファン５０によってＺ（＋）方向に排出される。さらに、上流側ファン５０が気体を支持ステージ３側から吸引する場合、気体に含まれるインクのミストが取り除かれるように、フィルター１７がＺ（＋）方向に搖動するので、ミストはフィルター１７によって取り除かれる。
ミストはフィルター１７によって取り除かれるので、記録ヘッド８に対してＸ（−）方向側に配置される照射装置９や他の部材（図示省略）は、ミストによって汚染されにくくなり、ミストによる不具合が生じにくくなる。さらに、ミストはフィルター１７によって取り除かれるので、上流側ファン５０がミストを含む気体を支持ステージ３側から吸引しても、上流側ファン５０はミストによって汚染されにくくなり、上流側ファン５０にミストによる不具合が生じにくくなる。
【００５０】
さらに、気体は、一種の粘性流体であり、粘性を有するので、下流側ファン６０から支持ステージ３側に供給される気体は、支持面２３に沿って流れようとする。このため、下流側ファン６０から支持ステージ３側に供給される気体は、第２傾斜部２６と、面２７，２５と、第１傾斜部２４とに沿って流れようとする。
気体は第２傾斜部２６に沿って流れようとするので、下流側ファン６０から支持ステージ３側に供給される気体は、第２傾斜部２６によって面２７の側に誘導され、面２７と支持ステージ３との間を流動しやすくなる。従って、第２傾斜部２６を設けることによって、面２７と支持ステージ３との間を流れる気体の流速を速くし、ミストを含む気体を記録ヘッド８に対してＸ（−）方向に流動しやすくすることができる。
【００５１】
気体は、第１傾斜部２４に沿って流れようとするので、面２７，２５と支持ステージ３との間でＸ（−）方向に流れる気体は、第１傾斜部２４によって上流側ファン５０の吸排気口５０ａ側に誘導され、上流側ファン５０の吸排気口５０ａから排出されやすくなる。
このように、記録ヘッド８の移動方向（Ｘ（＋）方向）の下流側において、下流側ファン６０から支持ステージ３側に気体を供給し、且つキャリッジ２０の支持面２３に傾斜部２４，２６を設けることによって、気体及び気体に含まれるミストは、記録ヘッド８の移動方向（Ｘ（＋）方向）の上流側（Ｘ（−）方向）に流動しやすくなる。そして、記録ヘッド８の移動方向（Ｘ（＋）方向）の上流側において、気体及び気体に含まれるミストは、上流側ファン５０によってＺ（＋）方向に排出され、ミストはフィルター１７によって取り除かれ、ミストの不具合が抑制される。
【００５２】
さらに、面２７，２５と支持ステージ３とは平行であり、共にＸ（−）方向に沿って配置されるので、面２７，２５と支持ステージ３との間において、気体はＸ（−）方向に沿って流れるようになる。すなわち、面２７，２５と支持ステージ３との間の気体の流れが、Ｘ（−）方向に沿って流れる層流となる。面２７，２５と支持ステージ３との間の気体の流れが、Ｘ（−）方向に沿った層流になると、記録ヘッド８と支持ステージ３との間の気体の流れもＸ（−）方向に沿った層流となる。
このように、記録ヘッド８の周辺に配置される支持ステージ３と平行な面２７，２５とは、気体の流動方向を制御し、記録ヘッド８と支持ステージ３との間の気体の流れをＸ（−）方向に沿った層流にする。
【００５３】
仮に、記録ヘッド８と支持ステージ３との間で気体の流れが乱れると、記録ヘッド８から吐出されるインクが媒体Ｍの目標位置からずれた位置に着弾し、媒体Ｍに記録される画像に、例えば風紋のような濃度ムラが生じ、媒体Ｍに記録される画像の品位の低下を招くおそれがある。
記録ヘッド８と支持ステージ３との間の気体の流れを層流にすると、記録ヘッド８と支持ステージ３との間の気体の流れが乱流である場合と比べて、記録ヘッド８から吐出されるインクは、媒体Ｍの目標位置に着弾しやすくなり、媒体Ｍに記録される画像に風紋のような濃度ムラが生じにくくなり、媒体Ｍに記録される画像の品位を高めることができる。
【００５４】
このように、偶数の主走査において、記録ヘッド８がＸ（＋）方向に移動しながら媒体Ｍにインクを吐出する場合、上流側ファン５０は、気体をＺ（＋）方向に送風し、支持ステージ３側から気体を吸引し、下流側ファン６０は、気体をＺ（−）方向に送風し、支持ステージ３側に気体を供給する。さらに、キャリッジ２０の支持面２３は、支持ステージ３から離れるように傾斜した傾斜部２４，２６と、支持ステージ３と平行な面２５，２７とを有する。かかる構成によって、ミストを含む気体を上流側ファン５０の側に流動しやすくし、且つ記録ヘッド８と支持ステージ３との間の気体の流れを層流にし、記録ヘッド８から吐出されるインクを媒体Ｍの目標位置に着弾させ、例えば風紋のような濃度ムラを抑制し、媒体Ｍに記録される画像の品位を高めることができる。
さらに、ミストは、フィルター１７によって取り除かれるので、ミストの不具合（照射装置９や他の部材の不具合）を抑制することができる。
【００５５】
図５に示すように、奇数の主走査によってＸ（−）方向（図中の白抜きの矢印の方向）に移動しながら記録ヘッド８が媒体Ｍにインクを吐出する場合、上流側ファン５０は、気体をＺ（−）方向に送風し、支持ステージ３側に気体を供給し、下流側ファン６０は、気体をＺ（＋）方向に送風し、支持ステージ３側から気体を吸引する。換言すれば、記録ヘッド８の移動方向（Ｘ（−）方向）の下流側において支持ステージ３側に気体が供給され、記録ヘッド８の移動方向（Ｘ（−）方向）の上流側において支持ステージ３側から気体が吸引される状態で、記録ヘッド８は移動しながらインクを媒体Ｍに吐出する。
下流側ファン６０が気体をＺ（＋）方向に送風し、気体を支持ステージ３側から吸引する場合、吸排気口６０ａに取付けられたフィルター１７は、Ｚ（＋）方向に流動する気体によって押圧され、図中に破線で示される位置から図中に実線で示される位置に移動し、吸排気口６０ａを塞ぐ。すなわち、下流側ファン６０が気体を支持ステージ３側から吸引する場合、吸排気口６０ａに取付けられたフィルター１７は、Ｚ（＋）方向に搖動し吸排気口６０ａを塞ぎ、Ｚ（＋）方向に流動する気体はフィルター１７によって濾過され、気体に含まれるインクのミストがフィルター１７によって取り除かれる。その結果、下流側ファン６０はミストによって汚染されず、ミストによる不具合（例えば、故障）が生じにくい。換言すれば、下流側ファン６０が気体をＺ（＋）方向に送風し、支持ステージ３側から気体を吸引する場合、フィルター１７は、気体が濾過され気体に含まれるインクのミストが取り除かれるように、Ｚ（＋）方向に搖動する。
【００５６】
上流側ファン５０が気体をＺ（−）方向に送風し、支持ステージ３側に気体を供給する場合、吸排気口５０ａに取付けられたフィルター１７は、Ｚ（−）方向に流動する気体によって押圧され、図中に破線で示される位置から図中に実線で示される位置に移動し、吸排気口５０ａから離間する。すなわち、上流側ファン５０が気体を支持ステージ３側に供給する場合、吸排気口５０ａに取付けられたフィルター１７は、Ｚ（−）方向に搖動し、気体は、フィルター１７を通過せず、直接支持ステージ３側に供給され、支持ステージ３側への気体の供給が阻害されない。換言すれば、上流側ファン５０が気体をＺ（−）方向に送風し、支持ステージ３側に気体を供給する場合、吸排気口５０ａに取付けられたフィルター１７は、気体が流動しやすくなるように、Ｚ（−）方向に搖動する。
【００５７】
奇数の主走査では、上流側ファン５０が気体を支持ステージ３側に供給し、上流側ファン５０から供給される気体は、キャリッジ２０（記録ヘッド８）と支持ステージ３との間をＸ（＋）方向に流動し、下流側ファン６０からＺ（＋）方向に排出される。
例えば、上流側ファン５０を設けず、キャリッジ２０（記録ヘッド８）をＸ（−）方向に移動させることによっても、記録ヘッド８の近くの気体は、キャリッジ２０（記録ヘッド８）と支持ステージ３との間をＸ（＋）方向に流動する。記録ヘッド８に対してＸ（−）方向側に上流側ファン５０を設け、上流側ファン５０が気体を支持ステージ３側に供給するようにすると、記録ヘッド８の近くの気体に加えて、支持ステージ３側に供給される気体も、キャリッジ２０（記録ヘッド８）と支持ステージ３との間をＸ（＋）方向に流動するので、上流側ファン５０を設けない場合と比べて、キャリッジ２０（記録ヘッド８）と支持ステージ３との間をＸ（＋）方向に流動する気体の流速を速くし、ミストを含む気体を記録ヘッド８に対してＸ（＋）方向に流動しやすくすることができる。
さらに、上流側ファン５０が気体をＺ（−）方向に送風し、支持ステージ３側に気体を供給する場合、吸排気口５０ａに取付けられたフィルター１７は、気体が流動しやすくなるようにＺ（−）方向に搖動するので、吸排気口５０ａにフィルター１７を取付けても、上流側ファン５０から支持ステージ３側に供給される気体の流れは阻害されにくい。
【００５８】
記録ヘッド８は、Ｘ（−）方向に移動しながら媒体Ｍにインクを吐出する。記録ヘッド８から吐出されるインクの大部分は、媒体Ｍに着弾する。ところが、記録ヘッド８から吐出されるインクの一部は、霧化しミストとなり、支持ステージ３と記録ヘッド８との間を浮遊する。支持ステージ３と記録ヘッド８との間を浮遊するミストは、Ｘ（＋）方向に相対移動する気体と一緒に、Ｘ（＋）方向に流動する。すると、記録ヘッド８に対してＸ（＋）方向側に配置される照射装置９や他の部材（図示省略）が、ミストによって汚染されるおそれがある。
仮に、照射装置９がミストによって汚染されると、照射装置から照射される光の強度が低下し、媒体Ｍに吐出されたインクが硬化しにくくなるおそれがある。仮に、他の部材がミストによって汚染されると、他の部材に不具合（例えば、故障）が生じるおそれがある。
【００５９】
記録ヘッド８の移動方向（Ｘ（−）方向）の上流側（Ｘ（＋）方向側）には、支持ステージ３側から気体を吸引する下流側ファン６０が設けられているので、支持ステージ３と記録ヘッド８との間を浮遊するミストは、気体と一緒に、下流側ファン６０によってＺ（＋）方向に排出される。さらに、下流側ファン６０が気体を支持ステージ３側から吸引する場合、気体に含まれるインクのミストが取り除かれるように、フィルター１７がＺ（＋）方向に搖動するので、ミストはフィルター１７によって取り除かれる。
ミストはフィルター１７によって取り除かれるので、記録ヘッド８に対してＸ（＋）方向側に配置される照射装置９や他の部材がミストによって汚染されにくくなり、ミストによる不具合が生じにくくなる。さらに、ミストはフィルター１７によって取り除かれるので、下流側ファン６０がミストを含む気体を支持ステージ３側から吸引しても、下流側ファン６０がミストによって汚染されにくくなり、下流側ファン６０にミストによる不具合が生じにくくなる。
【００６０】
さらに、気体は、一種の粘性流体であり、粘性を有するので、上流側ファン５０から支持ステージ３側に供給される気体は、支持面２３に沿って流れようとする。このため、上流側ファン５０から支持ステージ３側に供給される気体は、第１傾斜部２４と、面２５，２７と、第２傾斜部２６とに沿って流れようとする。
気体は第１傾斜部２４に沿って流れようとするので、上流側ファン５０から支持ステージ３側に供給される気体は、第１傾斜部２４によって面２５の側に誘導され、面２５と支持ステージ３との間を流動しやすくなる。従って、第１傾斜部２４を設けることによって、面２５と支持ステージ３との間を流れる気体の流速を速くし、ミストを含む気体を記録ヘッド８に対してＸ（＋）方向に流動しやすくすることができる。
【００６１】
気体は、第２傾斜部２６に沿って流れようとするので、面２５，２７と支持ステージ３との間でＸ（＋）方向に流れる気体は、第２傾斜部２６によって下流側ファン６０の吸排気口６０ａ側に誘導され、下流側ファン６０の吸排気口６０ａ側から排出されやすくなる。
このように、記録ヘッド８の移動方向（Ｘ（−）方向）の下流側（Ｘ（−）方向）において、上流側ファン５０から支持ステージ３側に気体を供給し、且つキャリッジ２０の支持面２３に傾斜部２４，２６を設けることによって、気体及び気体に含まれるミストは、記録ヘッド８の移動方向（Ｘ（−）方向）の上流側に流動しやすくなる。そして、記録ヘッド８の移動方向（Ｘ（−）方向）の上流側において、気体及び気体に含まれるミストは、下流側ファン６０によってＺ（＋）方向に排出され、記録装置１の外側に排出され、ミストの不具合が抑制される。
【００６２】
さらに、面２５，２７と支持ステージ３とは平行であり、共にＸ（＋）方向に沿って配置されるので、面２５，２７と支持ステージ３との間において、気体はＸ（＋）方向に沿って流れるようになる。すなわち、面２５，２７と支持ステージ３との間の気体の流れは、Ｘ（＋）方向に沿って流れる層流となる。面２５，２７と支持ステージ３との間の気体の流れが、Ｘ（＋）方向に沿った層流になると、記録ヘッド８と支持ステージ３との間の気体の流れもＸ（＋）方向に沿った層流となる。
このように、記録ヘッド８の周辺に配置される支持ステージ３と平行な面２５，２７とは、気体の流動方向を制御し、記録ヘッド８と支持ステージ３との間の気体の流れをＸ（＋）方向に沿った層流にする。
【００６３】
仮に、記録ヘッド８と支持ステージ３との間で気体の流れが乱れると、記録ヘッド８から吐出されるインクが媒体Ｍの目標位置からずれた位置に着弾し、媒体Ｍに記録される画像に、例えば風紋のような濃度ムラが生じ、媒体Ｍに記録される画像の品位の低下を招くおそれがある。
記録ヘッド８と支持ステージ３との間の気体の流れを層流にすると、記録ヘッド８と支持ステージ３との間の気体の流れが乱流である場合と比べて、記録ヘッド８から吐出されるインクは、媒体Ｍの目標位置に着弾しやすくなり、媒体Ｍに記録される画像に風紋のような濃度ムラが生じにくくなり、媒体Ｍに記録される画像の品位を高めることができる。
【００６４】
このように、奇数の主走査において、記録ヘッド８がＸ（−）方向に移動しながら媒体Ｍにインクを吐出する場合、下流側ファン６０は気体をＺ（＋）方向に送風し、支持ステージ３側から気体を吸引し、上流側ファン５０は気体をＺ（−）方向に送風し、支持ステージ３側に気体を供給する。さらに、キャリッジ２０の支持面２３は、支持ステージ３から離れるように傾斜した傾斜部２４，２６と、支持ステージ３と平行な面２５，２７とを有する。かかる構成によって、ミストを含む気体を下流側ファン６０の側に流動しやすくし、且つ記録ヘッド８と支持ステージ３との間の気体の流れを層流にし、記録ヘッド８から吐出されるインクを媒体Ｍの目標位置に着弾させ、例えば風紋のような濃度ムラを抑制し、媒体Ｍに記録される画像の品位を高めることができる。
さらに、ミストは、フィルター１７によって取り除かれるので、ミストの不具合（照射装置９や他の部材の不具合）を抑制することができる。
【００６５】
以上述べたように、本実施形態では、偶数の主走査及び奇数の主走査の両方において、支持ステージ３と記録ヘッド８（記録ユニット６）との間を浮遊するミストをフィルター１７によって取り除き、照射装置９や他の部材がミストによって汚染されにくくし、ミストによる不具合を生じにくくすることができる。加えて、記録ヘッド８と支持ステージ３との間の気体の流れを層流にし、記録ヘッド８から吐出されるインクを媒体Ｍの目標位置に着弾しやすくし、例えば風紋のような濃度ムラを抑制し、媒体Ｍに記録される画像の品位を高めることができる。
すなわち、媒体Ｍに記録される画像の品位を高めつつ、ミストの悪影響を抑制することができる。
【００６６】
（実施形態２）
図６及び図７は、実施形態２に係る記録装置に搭載される記録ユニットの状態を示す模式図である。詳しくは、図６は、図４に対応する図であり、偶数の主走査における記録ユニット６Ａの状態を示す模式図である。図７は、図５に対応する図であり、奇数の主走査における記録ユニット６Ａの状態を示す模式図である。
実施形態１では、上流側ファン５０及び下流側ファン６０は、Ｚ（＋）方向またはＺ（−）方向に送風可能な双方向ファンであった。本実施形態では、上流側ファン５０Ａ及び下流側ファン６０Ａは、Ｚ（＋）方向に送風可能な単方向ファン（第１ファン５１，６１）と、Ｚ（−）方向に送風可能な単方向ファン（第２ファン５２，６２）とで構成される。この点が、本実施形態と実施形態１との主な相違点である。また、一方向に送風可能な単方向ファンは、双方向に送風可能な双方向ファンと比べて構造が簡素化され、例えば、故障が生じにくくなる。
なお、図６及び図７では、ファン５１，５２，６１，６２の状態を分かりやすくするために、ファン５１，５２，６１，６２の筐体が破線で図示されている。
以下、図６及び図７を参照し、本実施形態に係る記録装置の概要を、実施形態１との相違点を中心に説明する。また、実施形態１と同一の構成部位については、同一の符号を附し、重複する説明を省略する。
【００６７】
図６及び図７に示すように、本実施形態に係る記録装置に搭載される記録ユニット６Ａでは、Ｘ（＋）方向に沿って、照射装置９と、上流側ファン５０Ａと、キャリッジ２０及び記録ヘッド８と、下流側ファン６０Ａと、照射装置９とが順に配置されている。
上流側ファン５０Ａは、気体をＺ（＋）方向に送風する第１上流側ファン５１と、気体をＺ（−）方向に送風する第２上流側ファン５２とで構成される。第１上流側ファン５１は、第２上流側ファン５２と比べてキャリッジ２０に近い側に配置されている。
第１上流側ファン５１は、支持ステージ３の側（Ｚ（−）方向側）に配置される上流側吸い込み口５１ａと、Ｚ（＋）方向側に配置されるファン本体５１ｃと、上流側吸い込み口５１ａとファン本体５１ｃとを接続するダクト部５１ｂとを有している。第１上流側ファン５１は、ファン本体５１ｃが駆動することによって、上流側吸い込み口５１ａから気体を吸引することができる。
第２上流側ファン５２は、支持ステージ３の側（Ｚ（−）方向側）に配置される上流側供給口５２ａと、Ｚ（＋）方向側に配置されるファン本体５２ｃと、上流側供給口５２ａとファン本体５２ｃとを接続するダクト部５２ｂとを有している。第２上流側ファン５２は、ファン本体５２ｃが駆動することによって、上流側供給口５２ａから気体を供給することができる。
上流側吸い込み口５１ａは、上流側供給口５２ａと比べてキャリッジ２０に近い側に配置されている。上流側吸い込み口５１ａには「第２フィルター」の一例であるフィルター１８が取り付けられている。フィルター１８は、Ｚ（＋）方向またはＺ（−）方向に搖動せず、上流側吸い込み口５１ａに固定されている。この点も、実施形態１との相違点である。
【００６８】
下流側ファン６０Ａは、気体をＺ（＋）方向に送風する第１下流側ファン６１と、気体をＺ（−）方向に送風する第２下流側ファン６２とで構成される。第１下流側ファン６１は、第２下流側ファン６２と比べてキャリッジ２０に近い側に配置されている。
第１下流側ファン６１は、支持ステージ３の側（Ｚ（−）方向側）に下流側吸い込み口６１ａと、Ｚ（＋）方向側に配置されるファン本体６１ｃと、下流側吸い込み口６１ａとファン本体６１ｃとを接続するダクト部６１ｂとを有している。第１下流側ファン６１は、ファン本体６１ｃが駆動することによって、下流側吸い込み口６１ａから気体を吸引することができる。
第２下流側ファン６２は、支持ステージ３の側（Ｚ（−）方向側）に配置される下流側供給口６２ａと、Ｚ（＋）方向側に配置されるファン本体６２ｃと、下流側供給口６２ａとファン本体６２ｃとを接続するダクト部６２ｂとを有している。第２下流側ファン６２は、ファン本体６２ｃが駆動することによって、下流側供給口６２ａから気体を供給することができる。
下流側吸い込み口６１ａは、下流側供給口６２ａと比べてキャリッジ２０に近い側に配置されている。下流側吸い込み口６１ａには、フィルター１８が取り付けられている。フィルター１８は、Ｚ（＋）方向またはＺ（−）方向に搖動せず、下流側吸い込み口６１ａに固定されている。この点も、実施形態１との相違点である。
【００６９】
図６に示すように、偶数の主走査によってＸ（＋）方向（図中の白抜きの矢印の方向）に移動しながら記録ヘッド８が媒体Ｍにインクを吐出する場合、第１上流側ファン５１は気体をＺ（＋）方向に送風し、支持ステージ３側から気体を吸引し、第２下流側ファン６２は、気体をＺ（−）方向に送風し、支持ステージ３側に気体を供給する。すなわち、上流側吸い込み口５１ａが気体を支持ステージ３側から吸い込み、下流側供給口６２ａが気体を支持ステージ３側に供給する。
加えて、第２上流側ファン５２は、気体をＺ（−）方向に送風し、支持ステージ３側に気体を供給する。すなわち、上流側吸い込み口５１ａが気体を支持ステージ３側から吸い込み、下流側供給口６２ａが気体を支持ステージ３側に供給する場合、上流側供給口５２ａは気体を支持ステージ３側に供給する。
【００７０】
偶数の主走査では、第２下流側ファン６２が気体を支持ステージ３側に供給し、第２下流側ファン６２から供給される気体は、キャリッジ２０（記録ヘッド８）と支持ステージ３との間をＸ（−）方向に相対移動し、第１上流側ファン５１からＺ（＋）方向に排出される。
記録ヘッド８に対してＸ（＋）方向側に第２下流側ファン６２を設け、第２下流側ファン６２が気体を支持ステージ３側に供給するようにすると、第２下流側ファン６２を設けない場合と比べて、キャリッジ２０（記録ヘッド８）と支持ステージ３との間をＸ（−）方向に流動する気体の流速を速くし、ミストを含む気体を記録ヘッド８に対してＸ（−）方向に流動しやすくすることができる。
【００７１】
支持ステージ３と記録ヘッド８との間を浮遊するミストは、気体と一緒に、第１上流側ファン５１によってＺ（＋）方向に排出され、フィルター１８によって取り除かれる。従って、記録ヘッド８に対してＸ（−）方向側に配置される照射装置９や他の部材が、ミストによって汚染されにくくなり、ミストによる不具合が生じにくくなる。
ミストを支持ステージ３から吸引する吸い込み口（上流側吸い込み口５１ａ）は、気体を支持ステージ３に供給する供給口（上流側供給口５２ａ）と比べて、キャリッジ２０（記録ヘッド８）に近い側に配置されているので、キャリッジ２０（記録ヘッド８）から遠い側に配置される場合と比べて、記録ヘッド８から吐出されるインクが霧化したミストは、上流側吸い込み口５１ａによって吸引されやすくなる。
さらに、第１上流側ファン５１が気体を支持ステージ３側から吸引（排気）する場合、気体に含まれるミストはフィルター１８によって取り除かれるので、第１上流側ファン５１はミストによって汚染されにくくなり、第１上流側ファン５１にミストによる不具合が生じにくくなる。
【００７２】
さらに、第１上流側ファン５１が気体を支持ステージ３側から吸引（排気）する場合、すなわち、上流側吸い込み口５１ａが気体を支持ステージ３側から吸い込む場合、上流側吸い込み口５１ａに対して主走査方向（Ｘ（＋）方向）の上流側に位置する上流側供給口５２ａが気体を支持ステージ３側に供給する。上流側供給口５２ａから供給される気体は、一種のエアーカーテンとなり、ミストを含む気体は、上流側供給口５２ａに対して主走査方向（Ｘ（＋）方向）の上流側（Ｘ（−）方向側）が移動しにくくなり、上流側吸い込み口５１ａに誘導され、ミストを含む気体は上流側吸い込み口５１ａから吸引されやすくなり、ミストがフィルター１８によって取り除かれやすくなる。
従って、主走査方向（Ｘ（＋）方向）の上流側（Ｘ（−）方向側）においてミストによる不具合が、さらに生じにくくなる。
【００７３】
さらに、記録ヘッド８の周辺に配置される支持ステージ３と平行な面２５，２７は、記録ヘッド８と支持ステージ３との間の気体の流れをＸ（−）方向に沿った層流にするので、記録ヘッド８と支持ステージ３との間の気体の流れが乱流である場合と比べて、記録ヘッド８から吐出されるインクは、媒体Ｍの目標位置に着弾しやすくなり、例えば風紋のような濃度ムラを抑制し、媒体Ｍに記録される画像の品位を高めることができる。
【００７４】
図７に示すように、奇数の主走査によってＸ（−）方向（図中の白抜きの矢印の方向）に移動しながら記録ヘッド８が媒体Ｍにインクを吐出する場合、第１下流側ファン６１は、気体をＺ（＋）方向に送風し、支持ステージ３側から気体を吸引し、第２上流側ファン５２は、気体をＺ（−）方向に送風し、支持ステージ３側に気体を供給する。すなわち、下流側吸い込み口６１ａが気体を支持ステージ３側から吸い込み、上流側供給口５２ａが気体を支持ステージ３側に供給する。
加えて、第２下流側ファン６２は、気体をＺ（−）方向に送風し、支持ステージ３側に気体を供給する。すなわち、下流側吸い込み口６１ａが気体を支持ステージ３側から吸い込み、上流側供給口５２ａが気体を支持ステージ３側に供給する場合、下流側供給口６２ａは気体を支持ステージ３側に供給する。
【００７５】
奇数の主走査では、第２上流側ファン５２が気体を支持ステージ３側に供給し、第２上流側ファン５２から供給される気体は、キャリッジ２０（記録ヘッド８）と支持ステージ３との間をＸ（＋）方向に流動し、第１下流側ファン６１からＺ（＋）方向に排出される。
記録ヘッド８に対してＸ（−）方向側に第２上流側ファン５２を設け、第２上流側ファン５２が気体を支持ステージ３側に供給するようにすると、第２上流側ファン５２を設けない場合と比べて、キャリッジ２０（記録ヘッド８）と支持ステージ３との間をＸ（＋）方向に流動する気体の流速を速くし、ミストを含む気体を記録ヘッド８に対してＸ（＋）方向に流動しやすくすることができる。
【００７６】
支持ステージ３と記録ヘッド８との間を浮遊するミストは、気体と一緒に、第１下流側ファン６１によってＺ（＋）方向に排出され、フィルター１８によって取り除かれる。従って、記録ヘッド８に対してＸ（＋）方向側に配置される照射装置９や他の部材が、ミストによって汚染されにくくなり、ミストによる不具合が生じにくくなる。
ミストを支持ステージ３から吸引する吸い込み口（下流側吸い込み口６１ａ）は、気体を支持ステージ３に供給する供給口（下流側供給口６２ａ）と比べて、キャリッジ２０（記録ヘッド８）に近い側に配置されているので、キャリッジ２０（記録ヘッド８）から遠い側に配置される場合と比べて、記録ヘッド８から吐出されるインクが霧化したミストは、下流側吸い込み口６１ａによって吸引されやすくなる。
さらに、第１下流側ファン６１が気体を支持ステージ３側から吸引（排気）する場合、気体に含まれるミストはフィルター１８によって取り除かれるので、第１下流側ファン６１はミストによって汚染されにくくなり、第１下流側ファン６１にミストによる不具合が生じにくくなる。
【００７７】
さらに、第１下流側ファン６１が気体を支持ステージ３側から吸引（排気）する場合、すなわち、下流側吸い込み口６１ａが気体を支持ステージ３側から吸い込む場合、下流側吸い込み口６１ａに対して主走査方向（Ｘ（−）方向）の上流側に位置する下流側供給口６２ａが気体を支持ステージ３側に供給する。下流側供給口６２ａから供給される気体は、一種のエアーカーテンとなり、ミストを含む気体は、下流側供給口６２ａに対して主走査方向（Ｘ（−）方向）の上流側（Ｘ（＋）方向側）が移動しにくくなり、下流側吸い込み口６１ａに誘導され、下流側吸い込み口６１ａから排出されやすくなる。
従って、主走査方向（Ｘ（−）方向）の上流側（Ｘ（＋）方向側）においてミストによる不具合が、さらに生じにくくなる。
【００７８】
さらに、記録ヘッド８の周辺に配置される支持ステージ３と平行な面２５，２７は、記録ヘッド８と支持ステージ３との間の気体の流れをＸ（＋）方向に沿った層流にするので、記録ヘッド８と支持ステージ３との間の気体の流れが乱流である場合と比べて、記録ヘッド８から吐出されるインクは、媒体Ｍの目標位置に着弾しやすくなり、例えば風紋のような濃度ムラを抑制し、媒体Ｍに記録される画像の品位を高めることができる。
【００７９】
以上述べたように、本実施形態では、実施形態１で得られる効果に加えて、吸い込み口５１ａ，６１ａが気体を支持ステージ３側から吸い込む場合、吸い込み口５１ａ，６１ａに対して主走査方向（Ｘ（＋）方向、またはＸ（−）方向）の上流側に位置する供給口５２ａ，６２ａから気体を支持ステージ３側に供給し、供給口５２ａ，６２ａから供給される気体が一種のエアーカーテンとなり、主走査方向の上流側においてミストによる不具合がさらに生じにくくなるという優れた効果を得ることができる。
【００８０】
（実施形態３）
図８及び図９は、実施形態３に係る記録装置に搭載される記録ユニットの状態を示す模式図である。詳しくは、図８は、Ｚ（＋）方向側（支持ステージ３と反対側）から記録ユニット６Ｂを見た場合の、記録ユニット６Ｂの平面図である。図９は、Ｚ（−）方向側（支持ステージ３側）から記録ユニット６Ｂを見た場合の、記録ユニット６Ｂの平面図である。
図８及び図９では、ファン５１Ｂ，５２Ｂ，６１Ｂ，６２Ｂの状態を分かりやすくするために、ファン５１Ｂ，５２Ｂ，６１Ｂ，６２Ｂの筐体が破線で図示されている。さらに、図９では、フィルター１８（図６参照）の図示が省略されている。
【００８１】
実施形態２では、第２上流側ファン５２のファン本体５２ｃと第１上流側ファン５１のファン本体５１ｃとがＸ（＋）方向に沿って順に配置され、第１下流側ファン６１のファン本体６１ｃと第２下流側ファン６２のファン本体６２ｃとがＸ（＋）方向に沿って順に配置されている（図６参照）。本実施形態では、第１上流側ファン５１Ｂのファン本体５１ｃと第２上流側ファン５２Ｂのファン本体５２ｃとがＹ（＋）方向に沿って順に配置され、第１下流側ファン６１Ｂのファン本体６１ｃと第２下流側ファン６２Ｂのファン本体６２ｃとがＹ（＋）方向に沿って順に配置されている（図８参照）。
この点が、本実施形態と実施形態２との主な相違点である。
以下、図８及び図９を参照し、本実施形態に係る記録装置の概要を、実施形態２との相違点を中心に説明する。また、実施形態２と同一の構成部位については、同一の符号を附し、重複する説明を省略する。
【００８２】
図８及び図９では図示を省略するが、ファン本体５１ｃと上流側吸い込み口５１ａとを接続するダクト部５１ｂ（図６参照）、ファン本体５２ｃと上流側供給口５２ａとを接続するダクト部５２ｂ（図６参照）、ファン本体６１ｃと下流側吸い込み口６１ａとを接続するダクト部６１ｂ（図６参照）、及びファン本体６２ｃと下流側供給口６２ａとを接続するダクト部６２ｂ（図６参照）は、フレキシブルダクトであり、任意の方向に曲げることが可能である。
【００８３】
図８に示すように、記録ユニット６ＢをＺ（＋）方向側から見た場合、照射装置９と、第２上流側ファン５２Ｂのファン本体５２ｃ及び第１上流側ファン５１Ｂのファン本体５１ｃと、キャリッジ２０と、第１下流側ファン６１Ｂのファン本体６１ｃ及び第２下流側ファン６２Ｂのファン本体６２ｃと、照射装置９とが、Ｘ（＋）方向に沿って順に配置されている。
主走査方向（Ｘ（＋）方向、Ｘ（−）方向）において、ファン本体５１ｃとファン本体５２ｃとは同じ位置に配置され、ファン本体６１ｃとファン本体６２ｃとは同じ位置に配置されている。この点は、本実施形態と実施形態２とで異なる。
【００８４】
図９に示すように、記録ユニット６ＢをＺ（−）方向側から見た場合、照射装置９と、第２上流側ファン５２Ｂの上流側供給口５２ａと、第１上流側ファン５１Ｂの上流側吸い込み口５１ａと、キャリッジ２０及び記録ヘッド８と、第１下流側ファン６１Ｂの下流側吸い込み口６１ａと、第２下流側ファン６２Ｂの下流側供給口６２ａと、照射装置９とがＸ（＋）方向に沿って順に配置されている。
さらに、上流側吸い込み口５１ａは、上流側供給口５２ａと比べてキャリッジ２０に近い側に配置され、下流側吸い込み口６１ａは、下流側供給口６２ａと比べてキャリッジ２０に近い側に配置されている。この点は、本実施形態と実施形態２とで同じである。
【００８５】
第１上流側ファン５１ＢをＺ（＋）方向側から見た場合、ファン本体５１ｃと上流側吸い込み口５１ａとは異なる位置に配置され、ダクト部５１ｂを曲げることによって、ファン本体５１ｃと上流側吸い込み口５１ａとが接続されている。第２上流側ファン５２ＢをＺ（＋）方向側から見た場合、ファン本体５２ｃと上流側供給口５２ａとは異なる位置に配置され、ダクト部５２ｂを曲げることによって、ファン本体５２ｃと上流側供給口５２ａとが接続されている。
第１下流側ファン６１ＢをＺ（＋）方向側から見た場合、ファン本体６１ｃと下流側吸い込み口６１ａとは異なる位置に配置され、ダクト部６１ｂを曲げることによって、ファン本体６１ｃと下流側吸い込み口６１ａとが接続されている。第２下流側ファン６２ＢをＺ（＋）方向側から見た場合、ファン本体６２ｃと下流側供給口６２ａとは異なる位置に配置され、ダクト部６２ｂを曲げることによって、ファン本体６２ｃと下流側供給口６２ａとが接続されている。
【００８６】
気体の吸排気口に関するレイアウト、すなわち、上流側吸い込み口５１ａと上流側供給口５２ａと下流側吸い込み口６１ａと下流側供給口６２ａとに関するレイアウトは、本実施形態と実施形態２とは同等である。このため、吸い込み口５１ａ，６１ａによって支持ステージ３側から吸引される気体の状態、及び、供給口５２ａ，６２ａによって支持ステージ３側に供給される気体の状態は同等であり、吸い込み口５１ａ，６１ａから気体を吸引し、且つ、供給口５２ａ，６２ａから気体を供給することによって、実施形態２と同等の効果を得ることができる。
【００８７】
一方、ファン本体５１ｃ，５２ｃ，６１ｃ，６２ｃに関するレイアウトは、本実施形態と実施形態２とで異なる。詳しくは、本実施形態では、主走査方向（Ｘ（＋）方向、Ｘ（−）方向）において、ファン本体５１ｃとファン本体５２ｃとは同じ位置に配置され、ファン本体６１ｃとファン本体６２ｃとは同じ位置に配置されている。実施形態２では、主走査方向（Ｘ（＋）方向、Ｘ（−）方向）において、ファン本体５１ｃとファン本体５２ｃとは異なる位置に配置され、ファン本体６１ｃとファン本体６２ｃとは異なる位置に配置されている（図６参照）。
このため、本実施形態に係る記録ユニット６Ｂの主走査方向（Ｘ（＋）方向、Ｘ（−）方向）の寸法は、実施形態に係る記録ユニット６Ａの主走査方向の寸法よりも短くなり、主走査方向の寸法がコンパクト化されている。このように、本実施形態は、実施形態２と比べて、主走査方向における記録ユニット６Ｂのコンパクト化を図りつつ、実施形態２と同等の効果（ミストによる不具合の抑制、画像品位の向上など）を得ることができる。
【００８８】
上述した実施形態では、記録ユニット６（記録ヘッド８、上流側ファン５０，５０Ａ，５０Ｂ、下流側ファン６０，６０Ａ，６０Ｂ、照射装置９）がＸ方向及びＹ方向に移動したが、この構成に限定されない。例えば、記録ユニット６がＸ方向に移動し、媒体ＭがＹ方向に移動する構成であってもよく、例えば、媒体ＭがＸ方向及びＹ方向に移動する構成であってもよい。すなわち、記録ユニット６及び媒体Ｍが、Ｘ方向及びＹ方向に相対移動可能な構成を有していればよい。
【符号の説明】
【００８９】
１…記録装置、３…支持ステージ、５…記録部、６…記録ユニット、７…主走査移動部、８…記録ヘッド、９…照射装置、１５…フィルター部、１６…回動軸、１７…フィルター、２０…キャリッジ、２１…第１端部、２２…第２端部、２３…支持面、２４…第１傾斜部、２５，２７…面、２６…第２傾斜部、３１…媒体支持面、５０…上流側ファン、５０ａ…吸排気口、６０…下流側ファン、６０ａ…吸排気口。
【図１】
2019093689.tif 000003
【図２】
2019093689.tif 000004
【図３】
2019093689.tif 000005
【図４】
2019093689.tif 000006
【図５】
2019093689.tif 000007
【図６】
2019093689.tif 000008
【図７】
2019093689.tif 000009
【図８】
2019093689.tif 000010
【図９】
2019093689.tif 000011